(57)【特許請求の範囲】
【請求項１】
加熱することによって活性化されて粘着性を発現する熱活性粘着剤として、樹脂100 重量部に対し、粘着付与剤が0.1 〜 100重量部、結晶性可塑剤が100〜400（但し100は除く）重量部が配合された水性ラテックスエマルジョンを壁紙等の内装化粧シートの裏面にコートしてなり、
前記熱活性粘着剤の粘着性を発現させた面どおしを軽く圧着した後、剥離する際の粘着力が、0.39〜3.86N/10mm(0.1〜1kgf/inch)の範囲であることを特徴とする簡易施工シート。
【請求項２】
加熱することによって活性化されて粘着性を発現する熱活性粘着剤として、樹脂100 重量部に対し、粘着付与剤が0.1 〜 100重量部、結晶性可塑剤が50〜400 重量部が配合された水性ラテックスエマルジョンを壁紙等の内装化粧シートの裏面にコートしてなり、
前記熱活性粘着剤の粘着性を発現させた面どおしを軽く圧着した後、剥離する際の粘着力が、0.39〜3.86N/10mm(0.1〜1kgf/inch)の範囲であることを特徴とするロール状簡易施工シート。
【請求項３】
裏面に熱活性粘着剤がコートされた請求項１又は２記載の簡易施工シートの裏面を、赤外線の放射による加熱または表面に離型樹脂をコートした加熱ロールによって活性化された粘着面を被着面に圧着することを特徴とする簡易施工シートの施工方法。
【発明の詳細な説明】
【０００１】
【発明の属する技術分野】
壁紙等の内装シートで、内装作業の現場において簡易に施工できるシート及びその施工方法に関する。
【０００２】
【従来の技術】
従来、建築物の内装に用いる化粧シートなどは、内装作業の段階で、その作業現場またはその周辺において壁紙の裏面にでんぷんのり等の水溶性接着剤を塗布し、塗布したシートを折り畳み、施工場所で全面を伸ばし施工していく方法であった。このような施工方法は水性のりを使用する為、小量施工する時は、準備、塗布量の調節、かたづけ等手間がかかる。紙壁紙等においては、のりの水分によりシートの腰がなくなり、施工しずらくなり、又、施工後、紙の収縮により、目開きをしてしまう。また、オープンタイムが短くすぐ貼らねばならないなどの多くの問題もあった。
【０００３】
そこで、壁紙等の裏面に粘着剤を塗布してなる離型紙付き化粧シートが開発された。前記離型紙付き化粧シートは、裏面の離型剤紙を剥離するだけで、粘着面が露出するので直ちに被着面に圧着することができ、容易に作業できる特徴を有する。
しかし、離型紙付き化粧シートは離型紙を剥がして粘着面を露出して折り畳むと、粘着剤どうしの接着が強くて、壁面等に貼る際に、剥がそうとしても剥がれないので、その場で離型紙を剥がしながら施工しなければならない。また、一度貼ってしまうと粘着力が強いので貼り直しができない。離型紙があるためにコストが高い等の問題があった。
【０００４】
【発明が解決しようとする課題】
作業現場で水性のりを使用しないで、簡単に施工でき、オープンタイムが長くて安定作業が可能である化粧シートとその施工方法を提供する。
【０００５】
【課題を解決する手段】
第１の発明は、加熱することによって活性化されて粘着性を発現する熱活性粘着剤として、樹脂100 重量部に対し、粘着付与剤が0.1 〜 100重量部、結晶性可塑剤が100〜400（但し100は除く）重量部が配合された水性ラテックスエマルジョンを壁紙等の内装化粧シートの裏面にコートしてなり、前記熱活性粘着剤の粘着性を発現させた面どおしを軽く圧着した後、剥離する際の粘着力が、0.39〜3.86N/10mm(0.1〜1kgf/inch)の範囲であることを特徴とする簡易施工シートである。
第２の発明は、加熱することによって活性化されて粘着性を発現する熱活性粘着剤として、樹脂100 重量部に対し、粘着付与剤が0.1 〜 100重量部、結晶性可塑剤が50〜400 重量部が配合された水性ラテックスエマルジョンを壁紙等の内装化粧シートの裏面にコートしてなり、前記熱活性粘着剤の粘着性を発現させた面どおしを軽く圧着した後、剥離する際の粘着力が、0.39〜3.86N/10mm(0.1〜1kgf/inch)の範囲であることを特徴とするロール状簡易施工シートである。
第３の発明は、裏面に熱活性粘着剤がコートされた第１又は第２の発明の簡易施工シートの裏面を、赤外線の放射による加熱または表面に離型樹脂をコートした加熱ロールによって活性化された粘着面を被着面に圧着することを特徴とする簡易施工シートの施工方法である。
【０００６】
【発明の実施の形態】
本発明は、壁紙等の内装シートの裏面に熱活性粘着剤を塗布すること、および該シートを用いて内装作業を施工する方法である。熱活性粘着剤とは、その塗布後には非粘着性であって、使用時に前記塗布面を加熱することによって活性化されて粘着性を示す性質をもつことを特徴とするもので、粘着剤の組成の設計によって、前記活性化された粘着性持続時間（オープンタイム）としては、数分から数日間にすることも可能である。通常は非粘着性で、加熱により粘着性を示し、冷却しても粘着を維持し、緩慢に固化する熱活性粘着剤を塗布し、離型紙なしで、のり付きシートを作成する。壁紙等の内装シートを壁面等に貼る作業の実態に適した作業方法及び接着性は使用する接着剤あるいは粘着剤により効率、仕上がり等に影響する。図１は、本発明の簡易施工シートの実施例を示すシート断面図である。図２は、本発明の簡易施工シートの熱活性粘着剤を活性化する方法を示す概念図であり、図３は、熱活性粘着剤を活性化する別の方法を示す概念図である。図４は、本発明の簡易施工シートの施工の状態を示す斜視図である。本発明の簡易施工シートＳの基本的な構成としては、50〜200g/m2の裏打紙１の上に、塩ビペーストゾル、水性エマルジョン等の発泡層の上に印刷インキ４による絵柄印刷、ＥＭ加工等加工等を施した凹凸層２を形成した化粧シートの裏面に熱活性粘着剤層３を設けることによって、従来の化粧シートの施工と比較して、簡単に施工できるシートである。
【０００７】
本発明の簡易施工シートに用いる裏打紙１としては、50〜200g/m2の一般紙、難燃紙、水酸化アルミ紙等の無機質紙が挙げられる。その他20〜100g/m2の薄葉紙、含浸紙等の紙間強化紙の上に印刷や各種コートを行った紙系化粧シート、ポリエチレンテレフタレート、オレフィン、ＰＶＣ等の熱可塑性樹脂の化粧シートも使用できる。
【０００８】
本発明の簡易施工シートの裏面に設ける熱活性粘着剤３は、前記シートの裏面に塗布されており、常温以下の温度に保持されている場合は、非粘着性であり、結晶性可塑剤の軟化点以上に加熱された場合には活性化されて粘着性となり、活性化後、しばらくの間、粘着性を維持しうる粘着剤である。このような機能は、結晶性可塑剤で発現するものである。すなわち、前記結晶性可塑剤は軟化点以下の温度では、固形結晶状態に戻るが、一旦溶融された後、熱を取り去っても結晶化せずにゆっくりと結晶化する。この機能によって、本発明の簡易施工シートＳの特徴、すなわち、加熱活性化後のシートを折り畳むことができて、施工迄の多少の時間折り畳んだ状態にしておいても問題なく、さらに、施工直後の貼り替えが可能となる。時間が経つと強力な接着力が得られる。次に、このような特性を示す熱活性粘着剤３の組成について説明する。
【０００９】
本発明に用いる熱活性粘着剤３としては各種水性エマルジョン・ラテックスが使用できる。主要成分である樹脂としては、アクリル酸エステル、スチレンーアクリル酸エステル、スチレンーブタジエン、酢酸ビニル、酢酸ビニルーアクリル酸エステル、エチレン−酢酸ビニル、ウレタン等が上げられ、１種又は２種以上の混合も可能である。
樹脂のTgが低すぎるとブロッキング性の問題があり、Tgが高すぎると接着性能が出ない。Tgの範囲としては60℃以下望ましくは0 ℃〜60℃が良い。又、２種又は数種のTgのものをブレンドしても良い。
【００１０】
熱活性粘着剤３には、粘着付与剤を添加する。粘着付与剤は、加熱により活性化された際の粘着性を増すための成分で各種のものが使用できる。
粘着付与剤としては、例えば、テルペン樹脂、脂肪族系石油樹脂、芳香族系石油樹脂、クマロンーインデン樹脂、スチレン系樹脂、フェノール樹脂、テルペンーフェノール樹脂、ロジン誘導体（ロジン、重合ロジン、水添ロジンおよびこれらのグリセリン、ペンタリストール等とのエステル、樹脂酸ダイマー等）が挙げられる。
本発明の簡易施工シートＳの熱活性粘着剤３に添加する粘着付与剤の量は、前記樹脂100 重量部に対して、0.1 〜 100重量部の範囲が好ましい。添加量は、前記樹脂の種類、施工時における熱活性化の維持時間の長さ等により、適性添加量を設定する。粘着付与剤の添加量が0.1 重量部未満の場合、活性化された粘着面の粘着力が弱く、貼着時の作業性が悪くなり、また、添加量が100 重量部を越えると熱活性粘着剤３の塗布、乾燥後にも粘着性を示し、巻取のブロッキングの危険がある。
【００１１】
熱活性粘着剤３は、前述のとおり本発明の簡易施工シートＳの特徴である熱活性効果と粘着性の一定時間保持の性質を与えるものである。
結晶性可塑剤は、軟化点以下では固形結晶状態で、一旦溶融したあと熱で取り去ってもすぐに結晶化せず、ゆっくりと結晶化するもので、使用レベルとしては、軟化点が50〜100 ℃の間のものが適する。結晶性可塑剤としては、フタル酸ジフェニル、フタル酸ジヘキシル、フタル酸ジシクロヘキシル、フタル酸ジヒドロアビニル、イソフタル酸ジメチル、安息香酸スクロース、二安息香酸エチレングリコール、三安息香酸トリメチロールエタン、三安息香酸グリセリド、四安息香酸ペンタエリトリット、八酢酸スクロルーＰートルエンスルフォンドアミド等が挙げられるが、汎用性からフタル酸ジシクロヘキシルが好ましい。
【００１２】
本発明の簡易施工シートＳの熱活性粘着剤３に添加する結晶性可塑剤の量は、前記樹脂100 重量部に対して、50〜400 重量部の範囲が好ましい。添加量は、前記樹脂の種類、施工時における熱活性化の維持時間の長さ等により、適性添加量を設定する。結晶性可塑剤の添加量が50重量部未満の場合、熱活性粘着剤３を塗布、乾燥後も粘着性が残り、巻取とした場合にブロッキングする危険性がある。また、添加量が400 重量部を超えると熱活性粘着剤３が加熱により活性化が難しく、よしんば活性化されてもその粘着面の粘着力が弱く、貼着時の作業性が悪くなる。前記粘着力が弱くなる原因としては、粘着性の樹脂成分及び粘着付与剤の量が、結晶性可塑剤の量に比して少なくなることに起因する為と思われる。
【００１３】
本発明の簡易施工シートＳに用いる熱活性粘着剤３には、以上の他に炭酸カルシウム、クレイ、シリカ等の充填剤、水酸化アルミニウム、水酸化マグネシウム、三酸化アンチモン等の難燃充填剤を塗料コート時のブロッキング性、防火性能向上の為に使用してもよい。又、充填剤により、粘着性能を調整してもよい。
この他、防カビ剤、消泡剤、分散剤、増粘剤、ブロッキング防止剤、防腐剤等を添加して塗料化する。
【００１４】
本発明の簡易施工シートＳを製造する工程において、化粧シートの裏面に熱活性粘着剤３を塗布する方法としては、コンマコート、ロールコート、グラビアコート、リバースコート、ロータリーシルクコート、フローコート等各種の方法が使用できる。コートする際の熱活性粘着剤３の乾燥は、結晶性可塑剤の融点以上に上げてしまうと、粘着性が発現してしまうので低温において乾燥する。熱活性粘着剤３の塗布量は、固形分として5 〜100g/m2のコート量が好ましい。熱活性粘着剤３をコートし、乾燥した簡易施工シートは、ロール状に巻き取ることができ、さらに、常温保管が可能である。
【００１５】
次に、得られた簡易施工シートの施工方法について説明する。一般に、壁紙等を壁面に貼る施工の場合、壁紙の長さとして一度に２ｍ程度を単位としてカットして施工する。２ｍの長さの壁紙を持ち運びするためには、壁紙の裏面にのり付け後、壁紙を折り畳んで運び、施工までの間、そのまま置かれることになる。この時、前記のり付け面（裏面）どおしも接したまま保管・移動を行い、施工現場でシートを伸ばす。この時、裏面どおしの接着力が強すぎると、施工の際に剥がし難く、無理に剥がすと壁紙の場合、裏打紙１が材破してしまう。その為、加熱溶融時の粘着力は、粘着面同士を軽く圧着してＴ字剥離をしたとき（50mm/ 分の速度）の剥離抵抗値として0.39〜3.86N/10mm(0.1 〜1kgf/inch)巾が適性である。さらに望ましくは、0.39〜1.93N/10mm(0.1 〜0.5kgf/inch)である。
【００１６】
本発明の簡易施工シートを施工する場合には、裏面に塗布した熱活性粘着剤３を活性化することが必要である。前記シートに塗布された熱活性粘着剤層３を加熱することによって、粘着性が発現し、壁面に貼着施工できる状態となる。前記熱活性粘着剤層３の加熱は、施工の現場またはその近傍において行うが、粘着剤面のみを加熱するのが望ましく、その加熱方法としては、熱風加熱、赤外線放射による加熱、ロール加熱等が利用できる。本発明の簡易施工シートＳの施工方法としては、赤外線の放射加熱または、表面に、離型性の良い樹脂、例えばフッ素、シリコン樹脂等をコートしたロールによる加熱により活性化することにより行う。
【００１７】
本発明の簡易施工シートＳの第一の施工方法は、図２に示すように、巻取状から繰り出された簡易施工シートを送りロールにより加熱部１０に送り、その裏面に赤外線を放射することによって、粘着性を発現させる。熱源１１として赤外線を用いることによって、熱活性粘着剤層３を効率よく加熱することができ、シート表面が熱による影響を受けずに済む。活性化された簡易施工シートを送るロールは、ロール１２と１３により送るが、粘着性を発現した熱活性粘着剤面に接触するロールは、その表面に前記フッ素、シリコン樹脂等をコートした離型ロール１３とする。次に、約２メートルの長さのシートを図２の折り畳み部１５に示すように３〜５回折り畳んでカットし施工現場に持ち込んで貼着施工をする。本発明の簡易施工シートＳの熱活性化された粘着面どおしの粘着力は3.86N/10mm(1kgf/inch)以下であるので、貼着の際にも容易に剥離できて貼着作業に支障を来すことはない。
【００１８】
本発明の簡易施工シートＳの第二の施工方法は、図２に示すように、巻取状から繰り出された簡易施工シートを、加熱ロールに密着させ、熱活性粘着剤層３を活性化し、粘着性を発現させる。加熱ロールには、離型性の良い樹脂、ｅｘ．フッ素、シリコン樹脂等をコートし、熱活性粘着剤３の活性化された粘着面との剥離を良くする。この第二の方法は熱活性粘着剤層３への直接接触加熱であり、適性な活性化は、加熱ロール表面温度と、該加熱ロールとの接触距離（時間）との条件により制御しうる。加熱ロールにより、裏面に粘着性が発現した簡易施工シートは、前記第一の方法と同じように、約２メートルの長さのシートを図３の折り畳み部２５に示すように３〜５回折り畳んでカットし施工現場に持ち込んで貼着施工をする。この場合も前記シートの熱活性化された粘着面どおしの粘着力は3.86N/10mm(1kgf/inch)以下であるので、貼着の際にも容易に剥離できて施工に支障を来すことはない。
【００１９】
【実施例】
〔実施例１〕裏打紙  ＴＴ−７０ＣＤ（特種製紙株式会社製  商品名）の上に、塩化ビニルゾルコートを行う。使用した塩化ビニルゾルの主成分は次の通りである。
＜ゾル配分＞
｛成分｝      ｛品名｝                                ｛配合比｝
ＰＶＣ        PSL-290 ( 鐘淵化学工業株式会社製)      100重量部
ＴｉＯ2       R-900 ( 石原産業株式会社製)             20重量部
ＤＯＰ        DOP ( 協和発酵株式会社製)               60重量部
ＡＤＣＡ      ユニホームAZ-30 ( 大塚化学株式会社製）   3重量部
安定剤        FL-43 ( 旭電化工業株式会社製)            3重量部
上記ゾルコート面に、柄印刷（使用インク：NWP 株式会社昭和インク工業所製) を行い、加熱発泡炉にて発泡し、直後にエンボスを行い発泡エンボス壁紙を得る。次に、前記シートの裏面に、下記組成の熱活性粘着剤３をロールコートにて塗布し、40℃の温風乾燥にて、塗布量として固形分50g/m2のコートを行った。
熱活性粘着剤：  壁紙用ディレード（ザ・インクテック株式会社製  商品名）
主たる成分は、
スチレンアクリルエマルジョン（固形分50％) Tg 45 ℃   100重量部
フタル酸ジシクロヘキシル                             200重量部
ロジン酸エステル                                       5重量部
得られたシートの熱活性粘着剤層を加熱し、溶融状態にした時の粘着面どおしの粘着力は、1.93N/10mm(0.5kgf/inch)であった。上記シートを別紙の赤外線加熱方法及び加熱ロール法で、接着剤を活性化した後、２ｍのシートを折り畳んで、施工現場に運んだ。赤外線加熱方法、加熱ロール法のいずれの加熱方法でも、前記折り畳んだ簡易施工シートを開きながら壁面上部より通常の施工方法により壁紙の貼着施工をすることができた。
【００２０】
〔比較例１〕実施例と同じ発泡エンボス壁紙を用い、その裏面に、実施例の熱活性粘着剤と同じ組成の熱活性粘着剤であって、結晶性可塑剤の可塑剤量を減らし40重量部にて同様のシートを作成した。その時の粘着面どうしの接着強度は4.63N/10mm(1.2kgf/inch)であった。加熱方法は、実施例と同じ条件で赤外線加熱方法、加熱ロール方法により、活性化させそれぞれ２ｍのシートを折畳む。貼着施工において、活性化された粘着面どおしを引き剥がそうとしたところ、裏打紙が材破して、貼着作業をすることが不可能であった。
【００２１】
【発明の効果】
本発明の簡易施工シートＳは、内装の施工におけるのり付け作業が不用となり、前記シートを熱活性粘着面の活性化のための加熱装置に通すだけですぐに被着面に圧着することが可能となり、作業の簡易化となった。
特に、紙壁紙においては、従来水性ののりを塗布していたので、シートの腰が弱くなることによる貼着作業がし難いことがあったり、のり付けから貼着までの粘着保持時間（オープンタイム）が短いことによる不具合、さらに、水性ののりであるために、裏打紙の伸縮による目開きのトラブル等の各課題を一挙に解決する簡易施工シート、及び施工方法が確立できた。
【図面の簡単な説明】
【図１】本発明の簡易施工シートの実施例を示すシート断面図
【図２】本発明の簡易施工シートの熱活性粘着剤を活性化する方法を示す概念図
【図３】本発明の簡易施工シートの熱活性粘着剤を活性化する別の方法を示す概念図
【図４】本発明の簡易施工シートの施工の状態を示す斜視図
【符号の説明】
Ｓ  簡易施工シート
Ｗ  壁面
Ｆ  床面
１  裏打紙
２  凹凸層
３  熱活性粘着剤または熱活性粘着剤層
４  印刷インキ
１０  加熱部
１１  熱源( 赤外線)
１２  送りロール
１３  離型ロール
１５  折り畳んだ簡易施工シート
２０  加熱ロール
２１，２１′加圧ロール
２５  折り畳んだ簡易施工シート
【図１】
0004156050.tif 000002
【図２】
0004156050.tif 000003
【図３】
0004156050.tif 000004
【図４】
0004156050.tif 000005